(57)【要約】【課題】ラインに傷をつけずに手早く外せる釣り針はずし具を提供する。【解決手段】鋼線の前部を先端方向への放射螺旋形状Ｂとし、常に張り気味の直線ラインＹを螺旋先端球形Ｇに掛けて軸棒Ａを回転させながら直線ラインＹを拾い取り、その螺旋内に取り込んだラインに誘導される要領で針はずし具先端を魚の口内へ差し込んで螺旋先端部に針Ｘの湾曲最深部を掛け、更に回しながら奥へ押し入れて凹部Ｃで針を確保して掛け外した後にラインと共に針を口外へ引き出す。この一連の操作によりラインに傷をつけることが無く手早い針はずしが終了する。【選択図】  図４
2008136424.tif 000002
【特許請求の範囲】
【請求項１】
釣り針はずし具において、軸棒Ａの回転に連動する先端部Ｇによる直線ラインＹの拾い取りを容易とするため、その形状を回転拾い取りに必要な所定の間隔を有する放射状螺旋形Ｂとした事を特徴とする放射状螺旋形釣り針はずし具。図３、参照
【請求項２】
請求項１に記載する螺旋上に針Ｘの停止位置を固定させ押し込み時のズレを防止する目的で、螺旋前方部分に周径に添った凹状加工Ｃを施した事を特徴とする放射状螺旋形釣り針はずし具。図２、図４参照
【請求項３】
請求項２記載の凹加工Ｃによる針Ｘの停止位置固定により、その針先方向を手元で任意に自在操作する目的で、グリップＤ上に針先方向確認表示Ｓを施した事を特徴とする放射状螺旋形針はずし具。図４参照
【請求項４】
螺旋先端部の処理に関し、その先端位置を鮮明にしてラインの拾い取りを容易にすると共に、ラインへの損傷及び取り扱い時の安全性を確保する目的で、先端切断部に目印兼用の球形Ｇを取り付けた事を特徴とする放射状螺旋形釣り針はずし具。図３参照
【発明の詳細な説明】
【技術分野】
【０００１】
本発明は、釣り針はずし用具の形状に関する
【背景技術】
【０００２】
釣った魚が針を呑み込んでいる場合の従来の針はずし具とその使用方法は、先の細いプライヤーを使って挟み取る方法（この場合、針が喉の奥にあって目視できない状況では全くの憶測で操作する事になってしまいラインや魚を傷付けてしまう結果になる）や、細い棒状で先端がライン誘導用にＣやＵの字形状に一方が開いた針はずし具を使い、その先端の開口部にラインを沿わせて口内の針元までラインを伝って押し込んで針を外し取る方法（この場合、用具先端形状の開口側に対面する内径側にラインを擦り付けて差し込まないと、途中でラインが外れてしまう）が大半であった。
しかし、それらの器具を使用した場合は、挟みつけたり擦ったりする操作過程で生ずるラインの損傷により、やっとの思いで外したその仕掛けは既に継続使用には不都合な状態となっていることが多く、針はずし本来の意味を成さない事が多かった。又、上述した針はずし操作は手馴れた釣り人にとっても煩わしい作業であった。
【０００３】
そこで、誰でも簡単に針はずしが出来る方法として以下にあるような針はずし具が考案され、既に開示及び公報がなされている。
【特許文献１】登録実用新案公報（Ｕ）第３０５７５７２号―（螺旋円錐状巻ガイド式針はずし）上述した考案によると、螺旋内にラインを取り込んだ後はそれなりの作業効果は期待されるが、螺旋形状が小から大への円錐形であるために回転時にそれぞれの素線がラインへの接触障害となり不都合が生じる事に加え、螺旋の間隔が狭いためにラインを拾って螺旋内に取り込むこと自体が困難であり、前作業の段階で丁重な作業を必要とし手馴れた釣り人であっても操作実用上の問題が指摘される。
【発明の開示】
【発明が解決しようとする課題】
【０００４】
吊り上げた魚が静止状態である事は皆無な状況下で行う針外し操作は至難であり、細やかな操作を必要とする道具は用を成さないことが多い。よって、先ず構造がシンプルで単純な事に加えてラインを傷めずに素早い操作性を有する事が必要機能要素として上げられる。
よって、ラインを傷つけずに手早く誰でも簡単で安全に操作できる釣り針はずし具の提供を課題とする。
【課題を解決するための手段】
【０００５】
本発明は図１の通り、鋼線等を素線にしてその加工形状を先端方向への放射螺旋形状とし、更に直線ラインの拾い取りに有効な所定の間隔を有した形状とすることにより、請求項１に記載する放射状螺旋の先端部Ｇの回転によって螺旋Ｂ内への直線ラインＹの取り込みを容易にし、また、図３に示す様にライン解除時におけるＩ方向への逆回転操作においても絡みがなく素早くラインからのセット解除ができる。
【０００６】
しかし、その螺旋Ｂの間隔が広くなるほどその螺旋傾斜は大きくなるため、螺旋内へ取り込んだ針を更に奥へ押し込んで針がかりを外す操作時に針Ｘのズレ落ちが生じ易くなる。その解消として図２に示す様にその螺旋周径に添う方向に凹加工Ｃを施し、請求項２に記載する針Ｘのストッパーとすることで停止位置とその針先方向の固定を可能とした。
よって、図４に見られるように、外した針Ｘを口外へ引き出す場合でも口内の針先方向が確定されることにより、その針が目視不能な口内の奥にある場合でも請求項３記載の針先方向認識表示Ｓを基準とし、手元グリップＤの任意な自在操作で口内の針先方向指定が可能となり、引き出し時の再度の針掛りを避けることが出来る。
尚、この方向表示マークＳは表面を滑らかな凸状とし触感知可能とした。
【０００７】
更に、先端切断部に目視用目印として請求項４記載の球形Ｇを取り付けたことで直線ラインＹと螺旋先端Ｇとの位置関係が明確化され、ライン拾い取り時の操作性と取り扱い上の安全性を共有するに至った。
又、手がヌメリを持った状況であっても容易に回転操作が出来るよう、回転軸Ａへ摩擦抵抗素材から成る摘まみチューブＥを滑り止めとして装着固定して回転操作の安定性を確保した。
尚、用具の回転操作に対応してグリップ尻手に縒り戻し機能を有するローリングスイベルＦを取り付けることで本発明針はずし具の快適使用を実現した。
【０００８】
本発明による針はずし具のセット及び操作は、図３に見られるように常にＺ方向へのラインテンションが掛かった直線ラインＹ状態でスムーズに行なわれる。
その操作要領は、軸摘まみＥをＨ方向へ回転させながら螺旋先端部Ｇにより直線ラインＹを拾い取り、螺旋Ｂ内に取り込まれたラインＹを螺旋Ｂに内接させながら針はずし先端を魚の口内へ差し込み、その先端部に釣り針Ｘの湾曲最深部を掛けた後にＨ方向への回転負荷を掛けつつ凹部Ｃに針を確保し、更に奥へ押し入れて針を掛け外してラインと共に口外へ引き出し、外れた針を抜きながら軸摘まみＥをＲ方向へ回転させ本針はずし具をラインＹから解除する。
【０００９】
尚、口内へ差し込む操作で螺旋にラインを内接させるのは、ラインＹが内接する負荷によって針Ｘの針先は接触螺旋の外側を向き、螺旋内をすり抜ける確率は限りなく低くなる事と、偶然にもライン通過が螺旋に無接触であった場合は螺旋最小径＞針の条件で螺旋内を通過すると想定がなされる理由による（これは微小サイズの釣針使用に限定される条件であり現実には起こりえない確率と言える）。又、螺旋先端部に針の湾曲部を掛けた後にＨ方向への回転負荷を掛けながら更に奥へ押しいれる理由は、凹部Ｃで針Ｘを固定し針先方向を確定させて押し外す操作上の理由によるものである。
【発明の効果】
【００１０】
本発明の針はずし具の使用によるラインの損傷は皆無といえる、また、本発明の針はずし具は手順の理解だけで素早い操作が出来るため、その熟練度は不要であり昼夜を問わず「誰でも、何処でも、」簡単で安全な使用が可能であり、針交換の頻度も軽減されて手返しも早くなり釣行時の必需品として期待される。
【発明を実施するための最良の形態】
【００１１】
適用素材はステンレス等の腐食鋼材が上げられるが、その線径及び螺旋サイズは利便性を考慮して大小の２種類が望まれる。また、有効作動範囲として螺旋の放射角度は図２あるように直線ラインに沿って抵抗感が少ない放射角度＜１０°程度とし、それぞれの螺旋間隔をその直径の５０％前後としてその螺旋回数は４〜５回程度が適当といえる。
尚、先端の球形目印Ｇと針先方向表示Ｓに蓄光発色素材を使用とすることで、夜間使用時の操作性と利便性が増大する。
【図面の簡単な説明】
【００１２】
【図１】全体姿図
【図２】螺旋形状及び正面図
【図３】セット作動図
【図４】機能実行図
【符号の説明】
【００１３】
Ａ  ステンレス鋼線
Ｂ  螺旋形状
Ｃ  針フックポイント
Ｄ  グリップ
Ｅ  回転摘まみ部（弾性チューブ）
Ｆ  ローリングスイベル
Ｇ  先端カバー（目視用目印）
Ｈ  セット時の軸回転方向
Ｉ  解除時の軸回転方向
Ｊ  セット時進行方向
Ｋ  終了時進行方向
Ｓ  針先方向マーク
Ｙ  ライン
Ｘ  釣針
Ｚ  ラインのテンション方向
Ｔ  螺旋放射角度
【図１】
2008136424.tif 000003
【図２】
2008136424.tif 000004
【図３】
2008136424.tif 000005
【図４】
2008136424.tif 000006